(57)【要約】【課題】本発明は、旧い建物又は運輸システムの構築に効果的に相容れて、少ない費用で信号伝送方式を更新することができる信号変換装置及びこれを用いるマルチメディアシステムを提供することである。【解決手段】本発明に係るマルチメディアシステムは、影像を撮影し且つ撮影された影像を第一電子信号に変換してから、第一タイプ伝送インタフェースを介して外部に送信する撮像装置と、前記第一電子信号を受信し、直交周波数分割多重技術を利用して、受信した第一電子信号を第二タイプ伝送インタフェースに適用する第二電子信号に変調する第一信号変換装置と、前記第二タイプ伝送インタフェースを介して前記第二電子信号を受信し且つ復調する第二信号変換装置とを備え、第一タイプ伝送インタフェースと第二タイプ伝送インタフェースは、異なる伝送媒体を使う。【選択図】図１
2008278484.tif 000002
【特許請求の範囲】
【請求項１】
影像を撮影し且つ撮影された影像を第一電子信号に変換してから、第一タイプ伝送インタフェースを介して外部に送信する撮像装置と、
前記第一電子信号を受信し、直交周波数分割多重技術を利用して、受信した第一電子信号を第二タイプ伝送インタフェースに適用する第二電子信号に変調する第一信号変換装置と、
前記第二タイプ伝送インタフェースを介して前記第二電子信号を受信し且つ復調する第二信号変換装置と、
を備え、前記第一タイプ伝送インタフェースと前記第二タイプ伝送インタフェースは異なる伝送インタフェースであることを特徴とする信号変換装置を使うマルチメディアシステム。
【請求項２】
前記第一タイプ伝送インタフェースは、ＲＪ−４５線を伝送媒体とすることを特徴とする請求項１に記載の信号変換装置を使うマルチメディアシステム。
【請求項３】
前記第一タイプ伝送インタフェースは、無線ネットワーク伝送プロトコルを使うことを特徴とする請求項１に記載の信号変換装置を使うマルチメディアシステム。
【請求項４】
前記第一電子信号を受信し、且つ前記第一信号変換装置に前記第一電子信号を送信する無線信号受信装置を更に備えることを特徴とする請求項３に記載の信号変換装置を使うマルチメディアシステム。
【請求項５】
前記第二タイプ伝送インタフェースは、同軸ケーブル、電話線又はツイストペアを伝送媒体とすることを特徴とする請求項１に記載の信号変換装置を使うマルチメディアシステム。
【請求項６】
前記第二タイプ伝送インタフェースが使う伝送媒体の電力を前記撮像装置に使われる電力タイプに変換する電源変換器を更に備え、前記撮像装置が使う電力は、前記第二タイプ伝送インタフェースが使う伝送媒体から提供することを特徴とする請求項１に記載の信号変換装置を使うマルチメディアシステム。
【請求項７】
前記第一信号変換装置は、複数の撮像装置から送信する複数の第一電子信号を受信することができる能力を具備することを特徴とする請求項１に記載の信号変換装置を使うマルチメディアシステム。
【請求項８】
前記撮像装置と前記第一信号変換装置との間に接続して、前記撮像装置から送信する第一電子信号を前記第一信号変換装置が受信することができる電子信号の形態に変換するマルチメディア・コミュテーターを更に備えることを特徴とする請求項１に記載の信号変換装置を使うマルチメディアシステム。
【請求項９】
第一タイプ伝送インタフェース及び第二タイプ伝送インタフェースを備え、前記第一タイプ伝送インタフェースに適用する第一電子信号と前記第二タイプ伝送インタフェースに適用する第二電子信号との間は、直交周波数分割多重技術を利用して変調/復調し、前記一タイプ伝送インタフェースは、撮像装置、マルチメディア表示装置及びネットワーク電話でからなる三者の中の一とデータ交換を行い、前記第二タイプ伝送インタフェースは、同軸ケーブル、電話線又はツイストペアの中の一を伝送媒体とすることを特徴とする信号変換装置。
【請求項１０】
前記第一タイプ伝送インタフェースは、ＲＪ−４５線を伝送媒体とすることを特徴とする請求項９に記載の信号変換装置。
【請求項１１】
マルチメディアデータを提供することに用いられるサーバーと、
第一タイプ伝送インタフェースを介して前記マルチメディアデータを受信し、直交周波数分割多重技術を利用して前記マルチメディアデータを第二タイプ伝送インタフェースに適用する電子信号に変調する第一信号変換装置と、
前記第二タイプ伝送インタフェースを介して前記電子信号を受信し且つ復調する第二信号変換装置と、
前記第二信号変換装置に電気接続して、前記第二信号変換装置によって復調された前記電子信号を放送するマルチメディア放送装置と、
を備え、前記第一タイプ伝送インタフェースと前記第二タイプ伝送インタフェースは異なる伝送インタフェースであることを特徴とする信号変換装置を使うマルチメディアシステム。
【請求項１２】
前記第二タイプ伝送インタフェースは、同軸ケーブル、電話線又はツイストペアを伝送媒体とすることを特徴とする請求項１１に記載の信号変換装置を使うマルチメディアシステム。
【発明の詳細な説明】
【技術分野】
【０００１】
本発明は、マルチメディアシステムに関するものであり、特に信号変換装置及びこれを用いるマルチメディアシステムに関するものである。
【背景技術】
【０００２】
情報の発達している現代生活では、だんだん多くなる情報が口や耳によって伝送されることではなく、いろいろなメディアによって伝送される。例えば、メーカーは、宣伝の効果に達するために、静態広告看板を賃借りしたり、テレビジョンによって広告を放送したり、又はテレビジョン壁を賃借りするなどの商業行為を採用する。静態広告看板の内容を更新することは不便であって、エレベーター内部/外部の壁掛け式テレビジョンのようなテレビジョン壁によって広告を放送することも、皆内部に挿入した記憶カードの資料を放送するため、放送内容を直ちに効果的に動態更新することができない。
【０００３】
上述の問題を解決するために、部分の技術人員は、いくら遠くても到着することができるネットワークを資料伝送媒体として、放送内容を動態更新することを建議する。しかし、１０Ｍ/１００Ｍのネットワーク線は、もし中継伝送駅がなければ、遠距離（約100メートルぐらい）伝送を行うことができなく、且つ室外で配線工程を行い難い。なお、建物とか、列車又は飛行機のような運輸設備にネットワーク線を増加することも大きい工程である。だから、上述の提案を実際に実施する場合、多い金銭及び長い工程時間を必要として、工程中で必然に不便さに直面する。このような状況は、社会大衆に対して好事ではない。
【発明の開示】
【発明が解決しようとする課題】
【０００４】
本発明の第一の目的は、前記問題を解決し、旧い建物又は運輸システムの構築に効果的に相容れて、少ない費用で信号伝送方式を更新することができる信号変換装置を提供することである。
【０００５】
本発明の第二の目的は、前記問題を解決し、旧い信号伝送システムに監視メカニズムを簡単的に立てることができる信号変換装置を使うマルチメディアシステムを提供することである。
【０００６】
本発明の第三の目的は、前記問題を解決し、旧い通信メカニズムを利用して構築することにより、システムを更新する費用を減少することができる信号変換装置を使うマルチメディアシステムを提供することである。
【課題を解決するための手段】
【０００７】
前記第一目的を達成するため、本発明に係わる信号変換装置は、第一タイプ伝送インタフェース及び第二タイプ伝送インタフェースを備え、前記第一タイプ伝送インタフェースに適用する第一電子信号と前記第二タイプ伝送インタフェースに適用する第二電子信号との間は、直交周波数分割多重技術を利用して変調/復調し、前記一タイプ伝送インタフェースは、撮像装置、マルチメディア表示装置及びネットワーク電話でからなる三者の中の一とデータ交換を行い、前記第二タイプ伝送インタフェースは、同軸ケーブル、電話線又はツイストペアの中の一を伝送媒体とする。
【０００８】
前記第二目的と第三目的を達成するため、本発明に係わる信号変換装置を使うマルチメディアシステムは、影像を撮影し且つ撮影された影像を第一電子信号に変換してから、第一タイプ伝送インタフェースを介して外部に送信する撮像装置と、前記第一電子信号を受信し、直交周波数分割多重技術を利用して、受信した第一電子信号を第二タイプ伝送インタフェースに適用する第二電子信号に変調する第一信号変換装置と、前記第二タイプ伝送インタフェースを介して前記第二電子信号を受信し且つ復調する第二信号変換装置とを備え、前記第一タイプ伝送インタフェースと前記第二タイプ伝送インタフェースは異なる伝送インタフェースである。
【０００９】
本発明の一つの実施形態において、前記第一タイプ伝送インタフェースは、ＲＪ−４５線を伝送媒体とするが、他の実施形態において、前記第一タイプ伝送インタフェースは、無線ネットワーク伝送プロトコルを使って、且つ前記マルチメディアシステムは、前記第一電子信号を受信し、且つ前記第一信号変換装置に前記第一電子信号を送信する無線信号受信装置を更に備える。
【００１０】
本発明の一つの実施形態において、前記第二タイプ伝送インタフェースは、同軸ケーブル、電話線又はツイストペアを伝送媒体とする。
【００１１】
本発明の一つの実施形態において、前記撮像装置が使う電力は、前記第二タイプ伝送インタフェースが使う伝送媒体から提供する。なお、前記マルチメディアシステムは、前記第二タイプ伝送インタフェースが使う伝送媒体の電力を前記撮像装置に使われる電力タイプに変換する電源変換器を更に備える。
【００１２】
本発明の一つの実施形態において、前記撮像装置は、伝統のビデオカメラであることができ、且つ前記マルチメディアシステムは、前記撮像装置と前記第一信号変換装置との間に接続して、前記撮像装置から送信する第一電子信号を前記第一信号変換装置が受信することができる電子信号の形態に変換するマルチメディア・コミュテーターを更に備える。
【００１３】
前記第二目的と第三目的を達成するため、本発明に係わる信号変換装置を使うマルチメディアシステムは、マルチメディアデータを提供することに用いられるサーバーと、第一タイプ伝送インタフェースを介して前記マルチメディアデータを受信し、直交周波数分割多重技術を利用して前記マルチメディアデータを第二タイプ伝送インタフェースに適用する電子信号に変調する第一信号変換装置と、前記第二タイプ伝送インタフェースを介して前記電子信号を受信し且つ復調する第二信号変換装置と、前記第二信号変換装置に電気接続して、前記第二信号変換装置によって復調された前記電子信号を放送するマルチメディア放送装置とを備え、前記第一タイプ伝送インタフェースと前記第二タイプ伝送インタフェースは異なる伝送インタフェースである。
【発明の効果】
【００１４】
本発明は、直交周波数分割多重技術を利用して電子信号を変調し、且つ変調された電子信号を同軸ケーブル、電話線又はツイストペアのような旧い信号伝送回路で伝送させるため、ネットワークの上の施設を旧い建物又は大衆運輸システムと容易に結合することができ、システムを更新する時に必要とする工程時間及び金銭を効果的に減少することができる。
【発明を実施するための最良の形態】
【００１５】
以下、図面を参照しながら、具体的な実施例を詳しく説明し、これにより、本発明の上述の目的と他の目的、特徴及び長所が、より容易に理解できる。
【００１６】
図１は、本発明の実施形態に係わる信号変換装置の回路ブロック図である。本実施形態において、信号変換装置１０は、第一タイプ伝送インタフェース１１０と、第二タイプ伝送インタフェース１２０及び変調/復調モジュール１３０を備える。第一タイプ伝送インタフェース１１０は、伝送媒体１４０を介して外部使用装置に接続し、これらの外部使用装置は、例えば、撮像装置、マルチメディア表示装置又はネットワーク電話などの端末設備である。第二タイプ伝送インタフェース１２０は、伝送媒体１５０を介して他の信号変換装置に電気接続する。本実施形態において、伝送媒体１５０は、電話線、同軸ケーブル又はツイストペアであることができ、変調/復調モジュール１３０は、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，ＯＦＤＭ）技術を利用して電子信号を変調/復調する基礎とする。  
【００１７】
図２は、本発明の第一実施形態に係わる信号変換装置を使うマルチメディアシステムのブロック図である。本実施形態において、マルチメディアシステム２０は、二つの信号変換装置２００及び２１０と、一つのネットワーク監視制御ビデオカメラ２２０と、一つの伝統電話機２３０及び一つの伝統電話機能とネットワーク電話機能を兼ねたネットワーク電話機２４０を備える。本実施形態において、ネットワーク監視制御ビデオカメラ２２０は、撮影された監視影像を電子信号に転換してから、伝送媒体２０２（例えば、ＲＪ−４５ネットワーク線）を介して信号変換装置２００に送信する。信号変換装置２００は、直交周波数分割多重技術を利用して電子信号を変調し、周波数分割器２６０と伝送媒体２０４（例えば、電話線である）を介して変調された電子信号を信号変換装置２１０に送信する。信号変換装置２１０は、伝送媒体２０４と周波数分割器２７０を介して変調された電子信号を受信し、且つ該電子信号を復調してから伝送媒体２０８（例えば、ＲＪ−４５ネットワーク線）を介してネットワーク電話２４０又はネットワーク２５０に送信することにより、表示又は他の用途に用いられる。こうすると、ネットワーク２５０に接続する表示装置から表示する画面は、動態的な更新を獲得することができ、即時に監視するか又は数人の交流に対して、非常に便利である。
【００１８】
元の家庭用電話機２３０（会社の入り口で使う内線電話であるかも知らない）及びネットワーク電話機２４０の一般的な電話機能も、別々に電話線２０６、２１２によってマルチメディアシステム２０の他の装置と伝送媒体２０４を共用することにより、音声データを送信することができる。
【００１９】
マルチメディアシステム２０は、電話線２０４を利用して電子信号を送信することができるため、マルチメディアシステム２０を旧いビルの電話システムに立てることができ、従ってネットワーク線を再び配置するために必要とする工程を減少することができる。
【００２０】
図３は、本発明の第二実施形態に係わる信号変換装置を使うマルチメディアシステムのブロック図である。本実施形態に係わるマルチメディアシステム３０も二つの信号変換装置３００、３１０を備え、更にネットワーク監視制御ビデオカメラグループ３２０及び一つの監視制御システム３３０を備える。信号変換装置３００は、ネットワーク監視制御ビデオカメラグループ３２０の中の複数のネットワーク監視制御ビデオカメラから送信する電子信号を同時に受信することができる。第一実施形態のように、信号変換装置３００と信号変換装置３１０との間で採用する伝送媒体３０４は、電話線、同軸ケーブル又はツイストペアであることができるが、信号変換装置３００とネットワーク監視制御ビデオカメラグループ３２０との間で採用する伝送媒体３０２及び信号変換装置３１０と監視制御システム３３０との間で採用する伝送媒体３０６は、普通のネットワーク線であることができる。    
【００２１】
なお、もしネットワーク監視制御ビデオカメラにアナログ信号出力端が有ると、アナログ信号出力端から送信するアナログ信号も適当な変調器によって変調されてから、ミキサーを利用して伝送媒体３０４に加入して送信することができる。こうすると、監視制御システム３３０の内部で使う信号受信機械も直接に伝送媒体３０４を介して必要とする信号を受信して、後の表示又は監視制御操作を行う。  
【００２２】
マルチメディアシステム３０は、電話線、同軸ケーブル又はツイストペアの上に立てることができるため、旧いビルにとって、監視制御システム全体の更新は、いっそう簡便である。    
【００２３】
類似している例として図４を参照してください。図４は、本発明の第三実施形態に係わる信号変換装置を使うマルチメディアシステムのブロック図である。本実施形態において、マルチメディアシステム４０が使うネットワーク監視制御ビデオカメラグループ４１０は、無線ネットワーク伝送プロトコルによって電子信号を伝送するため、信号変換装置４００に電子信号を送信するために、無線信号受信装置４３０を増加しなければならない。もちろん、この技術の分野における通常の知識を有する者が知っているように、無線信号受信装置４３０は、信号変換装置４００の中に配置してもよい。
【００２４】
図５は、本発明の第四実施形態に係わる信号変換装置を使うマルチメディアシステムのブロック図である。上述の実施形態と異なって、マルチメディアシステム５０が採用する撮像装置は、旧式のビデオカメラグループ５２０である。ビデオカメラグループ５２０の中の伝統のビデオカメラが提供する信号は、アナログ信号であって、デジタル信号ではない。これに対して、信号変換装置５００にビデオカメラグループ５２０から提供する映像信号を効果的に受信させるために、ビデオカメラグループ５２０と信号変換装置５００との間にマルチメディア・コミュテーター５４０を増加する。マルチメディア・コミュテーター５４０は、オーディオビデオサーバーであることができ、即ちテレビジョンカード及びネットワークカードを取り組んだコンピュータのようであって、これは伝送媒体５０２（例えば、ケーブルである）を介してビデオカメラグループ５２０から送信するアナログ電子信号を受信することができ、且つ受信したアナログ電子信号を転換してから、伝送媒体５０４（例えば、ネットワーク線である）を介して信号変換装置５００に送信する。同様に、信号変換装置５００によって変調されてから獲得した電子信号を伝送媒体５０６を介して他の信号変換装置５１０に送信し、且つ復調されてから伝送媒体５０８を介してバックエンドシステム５３０に送信する。
【００２５】
上述のハードウエア設置を介して、旧式のハードウエア設備も上述の信号変換装置と結合することにより、現代化なマルチメディアシステムを産生することができ、こうすると、旧い設備の使用寿命を延長することはもちろん、更に無駄な資源浪費を減少する。
【００２６】
図６は、本発明の第五実施形態に係わる信号変換装置を使うマルチメディアシステムのブロック図である。マルチメディアシステム６０は、一つのサーバー６００と、二つの信号変換装置６１０、６２０と、電話機６３０と、撮像装置６４０と、コンピュータ６５０及びマルチメディア表示装置６６０を備える。サーバー６００は、いくつかのマルチメディアデータを貯蔵し、且つ伝送媒体６１６（新たに設けたネットワーク線である）を介してマルチメディアデータを信号変換装置６１０に提供する。信号変換装置６１０は、ＯＦＤＭ技術によりマルチメディアデータを変調してから、伝送媒体６１２（移動し難いところの元の伝送媒体によって定め、一般的に電話線、同軸ケーブル又はツイストペアなどである）を介して変調してから獲得した電子信号を信号変換装置６２０に伝送する。マルチメディア表示装置６６０は、伝送媒体６１４（新たに設けたネットワーク線である）によって信号変換装置６２０から復調した電子信号を表示する。
【００２７】
本実施形態の他の方面において、電話機６３０は、周波数分割器６７０によってマルチメディアシステム６０内部の他の装置と伝送媒体６１２を共用することができ、撮像装置６４０とコンピュータ６５０は、上述の実施形態と類似する方式を介して、資料をサーバー６００又は他のバックエンドシステムに伝送することができる。
【００２８】
良好なネットワークサービスを提供するために、サーバー６００を光ファイバーネットワークに架設することができるが、光ファイバーネットワークと互いに疎通する為に、信号変換装置６１０とサーバー６００との間の伝送インタフェースは、光ファイバーに接続しなければならない。換言すると、信号変換装置６１０の中に光ファイバーインタフェースを処理することができるハードウエアがなければならなく、又は光ファイバーインタフェースを処理することができるハードウエアは、必ず信号変換装置６１０と伝送媒体６１６（ここでは光ファイバーである）との間に接続することにより、信号/インタフェース転換の工作を行う。
【００２９】
本発明の他の応用例として図７を参照してください。図７は、本発明の第六実施形態に係わる信号変換装置を使うマルチメディアシステムのブロック図である。本実施形態において、マルチメディアシステム７０は、複数のマルチメディアモジュール７１０、７２０、７３０、７４０、７５０を備え、これらのマルチメディアモジュールとの間では、伝送媒体７０２（電話線、同軸ケーブル又はツイストペアを備えるがこれらに限られるものではない）を介して信号を伝送する。マルチメディアモジュール毎の操作モードは、上述の実施形態と類似するため、ここでは詳しく説明しない。注意しなければならないことは、旧式列車の上には、もう基礎的な電話線が架設しているため、もし列車の上にこのようなシステムを架設すると共に、図６に示すサーバー６００を組み合わせると、列車が提供するマルチメディア機能を簡単にいっそう強化することができ、例えば、途中の各地で、対応する簡単な紹介を適時に提供するなどであって、これは客様にとって心が通い合っているサービスである。なお、類似な構築をエレベーターにも架設することができる。一般的にエレベーターの中に皆緊急電話が有るため、マルチメディアシステム７０は、共用緊急電話が使う電話線を介して、エレベーターの中の変わらない広告スクリーンを時時に変化するマルチメディア娯楽端末に変換する。
【００３０】
上述の各実施形態を各地に広範に運用させるために、電源線を架設し難い地方は、直接に伝送媒体の電力を使うことができる。図８は、本発明の第七実施形態に係わる信号変換装置を使うマルチメディアシステムのブロック図である。本実施形態において、マルチメディアシステム８０は、電源変換器８３０を利用して、信号変換装置８００と信号変換装置８１０との間に接続する伝送媒体８０２に電力を提供し、これらの電力は、他の電源変換器８２０を通じてから、撮像装置８４０に使われる電力に転換され、且つ伝送媒体８０４を介して撮像装置８４０に提供する。もちろん、もし伝送媒体８０２自身が電力を提供することができる線材ならば、例えば、目前に使う電話線自身は、電力を持つため、電源変換器８３０によって電力を提供する必要がない。  
【００３１】
上述したように、本発明は、マルチメディアシステム（監視システムを備える）を架設する時に必要とする工程時間及び金銭を効果的に減少することができ、且つ旧いシステムの更新にも適用し、旧い装置を時代に合わさせ、更によいサービスを提供し、旧い装置を捨てるため、もたらす資源浪費を減少する。
【００３２】
以上本発明を実施例に基づいて具体的に説明したが、本発明は、上述の実施例に限定されるものではなく、その要旨を逸脱しない範囲において、種種変更可能であることは勿論であって、本発明の保護範囲は、以下の特許請求の範囲から決まる。
【図面の簡単な説明】
【００３３】
【図１】本発明の実施形態に係わる信号変換装置の回路ブロック図である。
【図２】本発明の第一実施形態に係わる信号変換装置を使うマルチメディアシステムのブロック図である。
【図３】本発明の第二実施形態に係わる信号変換装置を使うマルチメディアシステムのブロック図である。
【図４】本発明の第三実施形態に係わる信号変換装置を使うマルチメディアシステムのブロック図である。
【図５】本発明の第四実施形態に係わる信号変換装置を使うマルチメディアシステムのブロック図である。
【図６】本発明の第五実施形態に係わる信号変換装置を使うマルチメディアシステムのブロック図である。
【図７】本発明の第六実施形態に係わる信号変換装置を使うマルチメディアシステムのブロック図である。
【図８】本発明の第七実施形態に係わる信号変換装置を使うマルチメディアシステムのブロック図である。
【符号の説明】
【００３４】
１０、２００、２１０、３００、３１０、４００、５００、５１０、６１０、６２０、８００、８１０  信号変換装置
２０、３０、４０、５０、６０、７０、８０  マルチメディアシステム
１１０  第一タイプ伝送インタフェース
１２０  第二タイプ伝送インタフェース
１３０  変調/復調モジュール
１４０、１５０、２０２、２０４、２０８、３０２、３０４、３０６、５０２、５０４、５０６、５０８、６１２、６１４、６１６、７０２、８０２、８０４  伝送媒体
２０６、２１２  電話線
２２０  ネットワーク監視制御ビデオカメラ
２３０  伝統電話機
２４０  ネットワーク電話機
２５０  ネットワーク
２６０、２７０、６７０  周波数分割器
３２０、４１０  ネットワーク監視制御ビデオカメラグループ
３３０  監視制御システム
４３０  無線信号受信装置
５２０  ビデオカメラグループ
５３０  バックエンドシステム
５４０  マルチメディア・コミュテーター
６００  サーバー
６３０  電話機
６４０、８４０  撮像装置
６５０  コンピュータ
６６０  マルチメディア表示装置
７１０、７２０、７３０、７４０、７５０  マルチメディアモジュール
８２０、８３０  電源変換器
【図１】
2008278484.tif 000003
【図２】
2008278484.tif 000004
【図３】
2008278484.tif 000005
【図４】
2008278484.tif 000006
【図５】
2008278484.tif 000007
【図６】
2008278484.tif 000008
【図７】
2008278484.tif 000009
【図８】
2008278484.tif 000010